【事件の表示】
　特願２０１８−　６７１３１「眼用装着物、眼用器具、被挟持体、挟持体、薬剤装着眼用器具、薬剤、電子デバイス装着眼用器具、電子デバイス、光学デバイス装着眼用器具、光学デバイス」拒絶査定不服審判事件〔令和　１年１０月１７日出願公開、特開２０１９−１７９０９５〕について、次のとおり審決する。
【結　論】
　本件審判の請求は、成り立たない。
【理　由】
第１　手続の経緯
　本件出願は、平成３０年３月３０日の出願であって、その手続きの経緯は、概略、以下のとおりである。
　　平成３１年　２月１４日付け：拒絶理由通知書
　　平成３１年　２月２８日提出：意見書、手続補正書
　　平成３１年　４月２４日付け：拒絶理由通知書（最後）
　　令和　元年　６月　３日提出：意見書、手続補正書
　　令和　元年　８月　７日付け：令和元年６月３日提出の手続補正書による手続補正についての補正の却下の決定
　　令和　元年　８月　７日付け：拒絶理由通知書（最後）
　　令和　元年１２月１６日提出：意見書、手続補正書
　　令和　２年　１月　８日付け：令和元年１２月１６日提出の手続補正書による手続補正についての補正の却下の決定
　　令和　２年　１月　８日付け：拒絶査定
　　令和　２年　２月２５日提出：審判請求書
　　令和　２年　２月２５日提出：手続補正書
第２　令和２年２月２５日提出の手続補正書による手続補正についての補正却下の決定
［結論］
　令和２年２月２５日提出の手続補正書による手続補正を却下する。
［理由］
１　補正の内容
　令和２年２月２５日提出の手続補正書による手続補正（以下、「本件補正」という。）は、特許請求の範囲（平成３１年２月２８日提出の手続補正書により補正されたもの）を、次の（１）に記載のもの（以下、「本件補正前の特許請求の範囲」という。）から、次の（２）に記載のもの（以下、「本件補正後の特許請求の範囲」という。）に補正するものである（下線部は、当合議体が付したものであり、本件補正による補正箇所を示す。）。
（１）本件補正前の特許請求の範囲
　「　　【請求項１】
　眼に装着可能な眼用装着物であって、
　眼球の表面形状に沿った球面形状及び装着時に右眼角に臨む縁が左方に窪む形状となっていることを特徴とする眼用装着物。
　　【請求項２】
　請求項１において、
　装着時に右眼角に臨む縁が右眼角の水平位置で左方に窪む形状となっていることを特徴とする眼用装着物。
　　【請求項３】
　請求項２において、
　装着時に右眼角に臨む縁が右眼角の水平位置で左方に最も窪む形状となっていることを特徴とする眼用装着物。
　　【請求項４】
　眼に装着可能な眼用装着物であって、
　眼球の表面形状に沿った球面形状及び装着時に左眼角に臨む縁が右方に窪む形状となっていることを特徴とする眼用装着物。
　　【請求項５】
　請求項４において、
　装着時に左眼角に臨む縁が左眼角の水平位置で右方に窪む形状となっていることを特徴とする眼用装着物。
　　【請求項６】
　請求項５において、
　装着時に左眼角に臨む縁が左眼角の水平位置で右方に最も窪む形状となっていることを特徴とする眼用装着物。
　　【請求項７】
　請求項１乃至６のいずれか１項において、
　コンタクトレンズであることを特徴とする眼用装着物。
　【請求項８】
　眼に装着可能な眼用器具であって、
　眼球の表面形状に沿った球面形状及び装着時に右眼角に臨む縁が左方に窪む形状の第１挟持体と、眼球の表面形状に沿った球面形状及び装着時に右眼角に臨む縁が左方に窪む形状の第２挟持体とを備え、前記第１挟持体と前記第２挟持体との間で被挟持物を挟持可能であり、
　前記第１挟持体と前記第２挟持体との間が前記被挟持物を挿入可能に開口し前記第１挟持体及び前記第２挟持体が結合されていることを特徴とする眼用器具。
　　【請求項９】
　眼に装着可能な眼用器具であって、
　眼球の表面形状に沿った球面形状及び装着時に左眼角に臨む縁が右方に窪む形状の第１挟持体と、眼球の表面形状に沿った球面形状及び装着時に左眼角に臨む縁が右方に窪む形状の第２挟持体とを備え、前記第１挟持体と前記第２挟持体との間で被挟持物を挟持可能であり、
　前記第１挟持体と前記第２挟持体との間が前記被挟持物を挿入可能に開口し前記第１挟持体及び前記第２挟持体が結合されていることを特徴とする眼用器具。
　　【請求項１０】
　請求項８及び９のいずれか１項において、
　前記第１挟持体の周端と前記第２挟持体の周端との間が前記被挟持物を挿入可能に開口していることを特徴とする眼用器具。
　　【請求項１１】
　請求項８乃至１０のいずれか１項において、
　前記被挟持物は、薬剤であることを特徴とする眼用器具。
　　【請求項１２】
　請求項８乃至１０のいずれか１項において、
　前記被挟持物は、電子デバイスであることを特徴とする眼用器具。
　　【請求項１３】
　請求項８乃至１０のいずれか１項において、
　前記被挟持物は、光学デバイスであることを特徴とする眼用器具。
　　【請求項１４】
　請求項８乃至１３のいずれか１項に記載の眼用器具における前記第１挟持体と前記第２挟持体との間で挟持される被挟持体であることを特徴とする被挟持体。
　　【請求項１５】
　請求項８乃至１３のいずれか１項に記載の眼用器具における前記第１挟持体に結合される前記第２挟持体又は前記第２挟持体に結合される前記第１挟持体であることを特徴とする挟持体。
　　【請求項１６】
　眼球の表面形状に沿った球面形状及び装着時に右眼角に臨む縁が左方に窪む形状の眼用器具と、
　前記眼用器具の前面との間に形成される室内を陰圧にして前記眼用器具の前面に吸着する吸着手段を有する薬剤とを備えることを特徴とする薬剤装着眼用器具。
　　【請求項１７】
　眼球の表面形状に沿った球面形状及び装着時に左眼角に臨む縁が右方に窪む形状の眼用器具と、
　前記眼用器具の前面との間に形成される室内を陰圧にして前記眼用器具の前面に吸着する吸着手段を有する薬剤とを備えることを特徴とする薬剤装着眼用器具。
　　【請求項１８】
　眼球の表面形状に沿った球面形状及び装着時に右眼角に臨む縁が左方に窪む形状の眼用器具と、
　前記眼用器具の前面に吸着する１又は複数の吸盤構造を有する薬剤とを備えることを特徴とする薬剤装着眼用器具。
　　【請求項１９】
　眼球の表面形状に沿った球面形状及び装着時に左眼角に臨む縁が右方に窪む形状の眼用器具と、
　前記眼用器具の前面に吸着する１又は複数の吸盤構造を有する薬剤とを備えることを特徴とする薬剤装着眼用器具。
　　【請求項２０】
　請求項１６乃至１９のいずれか１項に記載の薬剤装着眼用器具における前記薬剤が吸着される前記眼用器具であることを特徴とする眼用器具。
　　【請求項２１】
　請求項１６乃至１９のいずれか１項に記載の薬剤装着眼用器具における前記眼用器具に吸着する前記薬剤であることを特徴とする薬剤。
　　【請求項２２】
　眼球の表面形状に沿った球面形状及び装着時に右眼角に臨む縁が左方に窪む形状の眼用器具と、
　前記眼用器具の前面との間に形成される室内を陰圧にして前記眼用器具の前面に吸着する吸着手段を有する電子デバイスとを備えることを特徴とする電子デバイス装着眼用器具。
　　【請求項２３】
　眼球の表面形状に沿った球面形状及び装着時に左眼角に臨む縁が右方に窪む形状の眼用器具と、
　前記眼用器具の前面との間に形成される室内を陰圧にして前記眼用器具の前面に吸着する吸着手段を有する電子デバイスとを備えることを特徴とする電子デバイス装着眼用器具。
　　【請求項２４】
　眼球の表面形状に沿った球面形状及び装着時に右眼角に臨む縁が左方に窪む形状の眼用器具と、
　前記眼用器具の前面に吸着する１又は複数の吸盤構造を有する電子デバイスとを備えることを特徴とする電子デバイス装着眼用器具。
　　【請求項２５】
　眼球の表面形状に沿った球面形状及び装着時に左眼角に臨む縁が右方に窪む形状の眼用器具と、
　前記眼用器具の前面に吸着する１又は複数の吸盤構造を有する電子デバイスとを備えることを特徴とする電子デバイス装着眼用器具。
　　【請求項２６】
　請求項２２乃至２５のいずれか１項に記載の電子デバイス装着眼用器具における前記電子デバイスが吸着される前記眼用器具であることを特徴とする眼用器具。
　　【請求項２７】
　請求項２２乃至２５のいずれか１項に記載の電子デバイス装着眼用器具における前記眼用器具に吸着する前記電子デバイスであることを特徴とする電子デバイス。
　　【請求項２８】
　眼球の表面形状に沿った球面形状及び装着時に右眼角に臨む縁が左方に窪む形状の眼用器具と、
　前記眼用器具の前面との間に形成される室内を陰圧にして前記眼用器具の前面に吸着する吸着手段を有する光学デバイスとを備えることを特徴とする光学デバイス装着眼用器具。
　　【請求項２９】
　眼球の表面形状に沿った球面形状及び装着時に左眼角に臨む縁が右方に窪む形状の眼用器具と、
　前記眼用器具の前面との間に形成される室内を陰圧にして前記眼用器具の前面に吸着する吸着手段を有する光学デバイスとを備えることを特徴とする光学デバイス装着眼用器具。
　　【請求項３０】
　眼球の表面形状に沿った球面形状及び装着時に右眼角に臨む縁が左方に窪む形状の眼用器具と、
　前記眼用器具の前面に吸着する１又は複数の吸盤構造を有する光学デバイスとを備えることを特徴とする光学デバイス装着眼用器具。
　　【請求項３１】
　眼球の表面形状に沿った球面形状及び装着時に左眼角に臨む縁が右方に窪む形状の眼用器具と、
　前記眼用器具の前面に吸着する１又は複数の吸盤構造を有する光学デバイスとを備えることを特徴とする光学デバイス装着眼用器具。
　　【請求項３２】
　請求項２８乃至３１のいずれか１項に記載の光学デバイス装着眼用器具における前記光学デバイスが吸着される前記眼用器具であることを特徴とする眼用器具。
　　【請求項３３】
　請求項２８乃至３１のいずれか１項に記載の光学デバイス装着眼用器具における前記眼用器具に吸着する前記光学デバイスであることを特徴とする光学デバイス。」
（２）本件補正後の特許請求の範囲
　「　　【請求項
１
　眼に装着可能な眼用器具であって、
　
全体が
全体が
　前記第１挟持体と前記第２挟持体との間が前記被挟持物を挿入可能に開口し前記第１挟持体及び前記第２挟持体が結合されていることを特徴とする眼用器具。
　　【請求項
２
　眼に装着可能な眼用器具であって、
　
全体が
全体が
　前記第１挟持体と前記第２挟持体との間が前記被挟持物を挿入可能に開口し前記第１挟持体及び前記第２挟持体が結合されていることを特徴とする眼用器具。
　　【請求項
３
　請求項
１
２
　前記第１挟持体の周端と前記第２挟持体の周端との間が前記被挟持物を挿入可能に開口していることを特徴とする眼用器具。
　　【請求項
４
　請求項
１
３
　前記被挟持物は、薬剤であることを特徴とする眼用器具。
　　【請求項
５
　請求項
１
３
　前記被挟持物は、電子デバイスであることを特徴とする眼用器具。
　　【請求項
６
　請求項
１
３
　前記被挟持物は、光学デバイスであることを特徴とする眼用器具。
　　【請求項
７
　請求項
１
６
　　【請求項
８
　請求項
１
６
（当合議体注：本件補正により、本件補正前の請求項１〜７、請求項１６〜３３が削除された。本件補正前の請求項８〜１５が、本件補正後の請求項１〜８に対応する。）
２　新規事項
（１）　そこで、本件補正が、願書に最初に添付した明細書、特許請求の範囲又は図面（以下、「当初明細書等」という。）に記載した事項の範囲内においてしたものであるかについて、以下、検討する。
（２）　当初明細書等には、以下の事項が記載されている。
ア　特許請求の範囲
「【請求項１】
　眼に装着可能な眼用装着物であって、
　装着時に右眼角に臨む縁が左方に窪む形状となっていることを特徴とする眼用装着物。
【請求項２】
　請求項１において、
　装着時に右眼角に臨む縁が右眼角の水平位置で左方に窪む形状となっていることを特徴とする眼用装着物。
【請求項３】
　請求項２において、
　装着時に右眼角に臨む縁が右眼角の水平位置で左方に最も窪む形状となっていることを特徴とする眼用装着物。
【請求項４】
　眼に装着可能な眼用装着物であって、
　装着時に左眼角に臨む縁が右方に窪む形状となっていることを特徴とする眼用装着物。
【請求項５】
　請求項４において、
　装着時に左眼角に臨む縁が左眼角の水平位置で右方に窪む形状となっていることを特徴とする眼用装着物。
【請求項６】
　請求項５において、
　装着時に左眼角に臨む縁が左眼角の水平位置で右方に最も窪む形状となっていることを特徴とする眼用装着物。
【請求項７】
　眼に装着可能な眼用装着物と、装着手段を有する薬剤とを備え、前記装着手段が前記眼用装着物に装着して前記薬剤が前記眼用装着物に装着される薬剤供給眼用装着物であって、
　前記眼用装着物は、前記装着手段が装着可能な領域を有し、装着時に右眼角に臨む縁が左方に窪む形状となっていることを特徴とする薬剤供給眼用装着物。
【請求項８】
　眼に装着可能な眼用装着物と、装着手段を有する薬剤とを備え、前記装着手段が前記眼用装着物に装着して前記薬剤が前記眼用装着物に装着される薬剤供給眼用装着物であって、
　前記眼用装着物は、前記装着手段が装着可能な領域を有し、装着時に左眼角に臨む縁が右方に窪む形状となっていることを特徴とする薬剤供給眼用装着物。
【請求項９】
　請求項７及び８のいずれか１項において、
　前記装着手段は、被装着対象に吸着する吸着手段であることを特徴とする薬剤供給眼用装着物。
【請求項１０】
　請求項７記載の薬剤供給眼用装着物における前記薬剤を装着可能で且つ眼に装着可能な眼用装着物であって、
　前記装着手段が装着可能な領域を有し、装着時に右眼角に臨む縁が左方に窪む形状となっていることを特徴とする眼用装着物。
【請求項１１】
　請求項８記載の薬剤供給眼用装着物における前記薬剤を装着可能で且つ眼に装着可能な眼用装着物であって、
　前記装着手段が装着可能な領域を有し、装着時に左眼角に臨む縁が右方に窪む形状となっていることを特徴とする眼用装着物。」
イ　明細書
（ア）　「【技術分野】
【０００１】
　本発明は、眼用装着物及び薬剤供給眼用装着物に係り、特に、眼角への干渉を低減するのに好適な眼用装着物及び薬剤供給眼用装着物に関する。
【背景技術】
【０００２】
　従来、例えば、特許文献１記載のコンタクトレンズが知られている。
　特許文献１記載のコンタクトレンズは、原料樹脂内に薬剤を混入したコンタクトレンズであって、装用すると眼に薬用効果を与えるものである。
・・・略・・・
【発明の概要】
【発明が解決しようとする課題】
【０００４】
　特許文献１記載のコンタクトレンズを用いて眼瞼裏側の深部まで薬剤の成分を供給するには、サイズを大きくすることが考えられる。しかしながら、単純にサイズを大きくすると、装用時にコンタクトレンズが眼角に干渉する懸念がある。眼角への干渉としては、例えば、眼角に障害を与えること、異物感を増加させることが考えられる。
【０００５】
　そこで、本発明は、このような従来の技術の有する未解決の課題に着目してなされたものであって、眼角への干渉を低減するのに好適な眼用装着物及び薬剤供給眼用装着物を提供することを目的としている。
【課題を解決するための手段】
【０００６】
　〔発明１〕　上記目的を達成するために、発明１の眼用装着物は、眼に装着可能な眼用装着物であって、装着時に右眼角に臨む縁が左方に窪む形状となっている。
【０００７】
　ここで、眼用装着物を眼に装着する態様としては、眼用装着物を眼に直接装着すること、眼との間に１又は複数の媒体（例えば、部材）を介在させて眼用装着物を眼に間接的に装着することが含まれる。以下、発明７及び８の薬剤供給眼用装着物、並びに発明１０及び１１の眼用装着物において同じである。
【０００８】
　また、眼用装着物は、人又は動物の眼球に装着可能な物として、より具体的には、眼球に形状適合性を有する曲面状又は眼球の表面形状に沿った球面形状の物として構成することができる。以下、発明７及び８の薬剤供給眼用装着物、並びに発明１０及び１１の眼用装着物において同じである。
【０００９】
　また、眼用装着物としては、例えば、眼用デバイス、薬剤供給補助具、矯正具、薬剤、サプリメント及び磁性流体が含まれる。眼用デバイスとしては、例えば、（１）眼に対し情報の提供を行うデバイス、（２）眼に関する情報の収集を行うデバイス、（３）眼の外側に対し情報の提供を行うデバイス、（４）眼の外側に関する情報の収集を行うデバイス、（５）眼に対し機能の維持、回復若しくは付与又は作用を行うデバイス、及び（６）眼の外側に対し機能の付与又は作用を行うデバイスが含まれる。これらのうち（３）の機能としては、例えば、認証装置等に対し認証情報を投影する機能が挙げられる。また、眼用デバイスとしては、例えば、（１）光学デバイス（例えば、レンズ、光ファイバー、光導波路、光アイソレータ、半導体レーザ）、及び（２）電子デバイス（例えば、カメラ、投影機、センサ）が含まれる。以下、発明７及び８の薬剤供給眼用装着物、並びに発明１０及び１１の眼用装着物において同じである。
【００１０】
　〔発明２〕　さらに、発明２の眼用装着物は、発明１の眼用装着物において、装着時に右眼角に臨む縁が右眼角の水平位置で左方に窪む形状となっている。
【００１１】
　〔発明３〕　さらに、発明３の眼用装着物は、発明２の眼用装着物において、装着時に右眼角に臨む縁が右眼角の水平位置で左方に最も窪む形状となっている。
【００１２】
　〔発明４〕　さらに、発明４の眼用装着物は、眼に装着可能な眼用装着物であって、装着時に左眼角に臨む縁が右方に窪む形状となっている。
【００１３】
　〔発明５〕　さらに、発明５の眼用装着物は、発明４の眼用装着物において、装着時に左眼角に臨む縁が左眼角の水平位置で右方に窪む形状となっている。
【００１４】
　〔発明６〕　さらに、発明６の眼用装着物は、発明５の眼用装着物において、装着時に左眼角に臨む縁が左眼角の水平位置で右方に最も窪む形状となっている。
【００１５】
　〔発明７〕　一方、上記目的を達成するために、発明７の薬剤供給眼用装着物は、眼に装着可能な眼用装着物と、装着手段を有する薬剤とを備え、前記装着手段が前記眼用装着物に装着して前記薬剤が前記眼用装着物に装着される薬剤供給眼用装着物であって、前記眼用装着物は、前記装着手段が装着可能な領域を有し、装着時に右眼角に臨む縁が左方に窪む形状となっている。
【００１６】
　このような構成であれば、装着手段が眼用装着物に装着し、薬剤が眼用装着物に装着される。装着された薬剤が溶け出すと、結膜や角膜等の部位にその成分が供給される。
【００１７】
　ここで、装着手段としては、例えば、眼用装着物及び薬剤の一方（薬剤）に装着のための構成（例えば、吸盤構造）を設け、薬剤の当該構成が眼用装着物に装着する構成として実現する場合、眼用装着物及び薬剤の両方に装着のための構成（例えば、吸盤構造）を設け、それぞれが雄及び雌のように対応して装着する構成として実現する場合が含まれる。後者の場合は、薬剤に設けた装着のための構成が装着手段に対応する。以下、発明８の薬剤供給眼用装着物において同じである。
【００１８】
　〔発明８〕　さらに、発明８の薬剤供給眼用装着物は、眼に装着可能な眼用装着物と、装着手段を有する薬剤とを備え、前記装着手段が前記眼用装着物に装着して前記薬剤が前記眼用装着物に装着される薬剤供給眼用装着物であって、前記眼用装着物は、前記装着手段が装着可能な領域を有し、装着時に左眼角に臨む縁が右方に窪む形状となっている。
【００１９】
　このような構成であれば、装着手段が眼用装着物に装着し、薬剤が眼用装着物に装着される。装着された薬剤が溶け出すと、結膜や角膜等の部位にその成分が供給される。
【００２０】
　〔発明９〕　さらに、発明９の薬剤供給眼用装着物は、発明７及び８のいずれか１の薬剤供給眼用装着物において、前記装着手段は、被装着対象に吸着する吸着手段である。
【００２１】
　このような構成であれば、吸着手段が眼用装着物に吸着し、薬剤が装着される。
　ここで、吸着とは、吸いつくことをいい、例えば、吸着箇所が外界よりも陰圧となって吸いつくことが含まれる。以下、吸着の概念については同じである。
【００２２】
　また、吸着手段としては、例えば、眼用装着物及び薬剤の一方（薬剤）に吸着のための構成（例えば、吸盤構造）を設け、薬剤の当該構成が眼用装着物に吸着する構成として実現する場合、眼用装着物及び薬剤の両方に吸着のための構成（例えば、吸盤構造）を設け、それぞれが雄及び雌のように対応して吸着する構成として実現する場合が含まれる。後者の場合は、薬剤に設けた吸着のための構成が吸着手段に対応する。
【００２３】
　〔発明１０〕　一方、上記目的を達成するために、発明１０の眼用装着物は、発明７の薬剤供給眼用装着物における前記薬剤を装着可能で且つ眼に装着可能な眼用装着物であって、前記装着手段が装着可能な領域を有し、装着時に右眼角に臨む縁が左方に窪む形状となっている。
【００２４】
　〔発明１１〕　さらに、発明１１の眼用装着物は、発明８の薬剤供給眼用装着物における前記薬剤を装着可能で且つ眼に装着可能な眼用装着物であって、前記装着手段が装着可能な領域を有し、装着時に左眼角に臨む縁が右方に窪む形状となっている。
【発明の効果】
【００２５】
　以上説明したように、発明１若しくは１０の眼用装着物、又は発明７の薬剤供給眼用装着物によれば、右眼角に臨む縁が左方に窪む形状となっているので、右眼角への干渉が生じる可能性又は度合いを低減することができる。
【００２６】
　さらに、発明２の眼用装着物によれば、右眼角に臨む縁が右眼角の水平位置で左方に窪む形状となっているので、右眼角への干渉が生じる可能性又は度合いを低減することができる。
【００２７】
　さらに、発明３の眼用装着物によれば、右眼角に臨む縁が右眼角の水平位置で左方に最も窪む形状となっているので、右眼角への干渉が生じる可能性又は度合いをさらに低減することができる。
【００２８】
　さらに、発明４若しくは１１の眼用装着物、又は発明８の薬剤供給眼用装着物によれば、左眼角に臨む縁が右方に窪む形状となっているので、左眼角への干渉が生じる可能性又は度合いを低減することができる。
【００２９】
　さらに、発明５の眼用装着物によれば、左眼角に臨む縁が左眼角の水平位置で右方に窪む形状となっているので、左眼角への干渉が生じる可能性又は度合いを低減することができる。
【００３０】
　さらに、発明６の眼用装着物によれば、左眼角に臨む縁が左眼角の水平位置で右方に最も窪む形状となっているので、左眼角への干渉が生じる可能性又は度合いをさらに低減することができる。
【００３１】
　さらに、発明９の薬剤供給眼用装着物によれば、吸着手段により薬剤が眼用装着物に装着されるので、薬剤と眼用装着物との組み合わせを選択又は変更等することができる。」
（イ）　「【発明を実施するための形態】
【００３３】
〔第１の実施の形態〕
　以下、本発明の第１の実施の形態を説明する。図１及び図２は、本実施の形態を示す図である。
【００３４】
　まず、本実施の形態の構成を説明する。
　図１は、薬剤供給補助具１０の外観形状を示す図であり、（ａ）は薬剤供給補助具１０の正面図、（ｂ）は正面からみた薬剤供給補助具１０の斜視図、（ｃ）は薬剤供給補助具１０の側面図である。
【００３５】
　薬剤供給補助具１０は、ソフトコンタクトレンズと同一の材質で構成されている。薬剤供給補助具１０は、図１に示すように、公知のソフトコンタクトレンズと同様に眼球の表面形状に沿った球面形状となっている。その後面は、眼球の表面にフィットするように眼球の表面と同一又は近い曲率となる球面形状となっている。また、平面形状が全体として、角丸矩形の各辺１４ａ〜１４ｄが弓形凸部となる形状となっている。公知のソフトコンタクトレンズと異なる点の一つはサイズが大きい点であり、装着時に眼瞼裏側の深部にまで及ぶ領域を有している。
【００３６】
　薬剤供給補助具１０の中央には、角膜領域（装着時に角膜に位置する領域）を開口する貫通孔１２が形成されている。貫通孔１２の径は、角膜よりも大径（１．２倍程度）となっている。
【００３７】
　薬剤供給補助具１０は、装着時に上眼瞼結膜円蓋部に接する左上肩１４ｅ及び右上肩１４ｆと、装着時に下眼瞼結膜円蓋部に接する右下肩１４ｇ及び左下肩１４ｈと、左上肩１４ｅ及び右上肩１４ｆを結ぶ上辺１４ａと、右上肩１４ｆ及び右下肩１４ｇを結ぶ右辺１４ｂと、右下肩１４ｇ及び左下肩１４ｈを結ぶ下辺１４ｃと、左上肩１４ｅ及び左下肩１４ｈを結ぶ左辺１４ｄとを有して構成されている。上辺１４ａは、下方に弓なりに湾曲する形状となっている。下辺１４ｃは、上方に弓なりに湾曲する形状となっている。右辺１４ｂは、右眼角（右目の場合は内眼角をいい、左目の場合は外眼角をいう。）を回避するように左方に弓なりに湾曲する形状であって、装着時に右眼角の水平位置で左方に最も窪む形状となっている。左辺１４ｄは、左眼角（右目の場合は外眼角をいい、左目の場合は内眼角をいう。）を回避するように右方に弓なりに湾曲する形状であって、装着時に左眼角の水平位置で右方に最も窪む形状となっている。
【００３８】
　次に、本実施の形態の動作を説明する。
　図２は、薬剤供給補助具１０の使用方法を説明するための図であり、（ａ）は眼２０の正面図、（ｂ）は眼２０の縦断面図である。図２（ａ）中、点線で示す最外円は結膜の外縁を示している。
【００３９】
　使用者は、図２に示すように、薬剤供給補助具１０を装着する。薬剤供給補助具１０は、貫通孔１２で角膜２４全体を囲い、貫通孔１２が瞳孔２２と同心円状となるように装着する。このとき、左上肩１４ｅ及び右上肩１４ｆが上眼瞼結膜円蓋部２６ｅに接し、上眼瞼結膜円蓋部２６ｅ及び上辺１４ａによりプール１９ａが区画される。また、右下肩１４ｇ及び左下肩１４ｈが下眼瞼結膜円蓋部２６ｆに接し、下眼瞼結膜円蓋部２６ｆ及び下辺１４ｃによりプール１９ｂが区画される。次に、使用者は、薬剤供給補助具１０上に点眼薬を点眼する。装用時は、上眼瞼結膜２６ａ及び眼球の表面が蓋となってプール１９ａを閉鎖するので、点眼された薬剤は、プール１９ａに貯留され、時間をかけて結膜や角膜等の部位にその成分が供給される。同様に、下眼瞼結膜２６ｂ及び眼球の表面が蓋となってプール１９ｂを閉鎖するので、点眼された薬剤は、プール１９ｂに貯留され、時間をかけて結膜や角膜等の部位にその成分が供給される。
【００４０】
　次に、本実施の形態の効果を説明する。
　本実施の形態では、右辺１４ｂが左方に弓なりに湾曲する形状となっている。
【００４１】
　これにより、右眼角への干渉が生じる可能性又は度合いを低減することができる。右眼角への干渉としては、例えば、右眼角に障害を与えること、異物感を増加させることが考えられる。
【００４２】
　さらに、本実施の形態では、右辺１４ｂが装着時に右眼角の水平位置で左方に窪む形状となっている。
【００４３】
　これにより、右眼角への干渉が生じる可能性又は度合いを低減することができる。
　さらに、本実施の形態では、右辺１４ｂが装着時に右眼角の水平位置で左方に最も窪む形状となっている。
【００４４】
　これにより、右眼角への干渉が生じる可能性又は度合いをさらに低減することができる。
・・・略・・・
【００４９】
　さらに、本実施の形態では、薬剤供給補助具１０は、装着時に上眼瞼結膜円蓋部２６ｅ及び上辺１４ａにより、薬剤を貯留可能なプール１９ａが区画される。
・・・略・・・
【００５１】
　さらに、本実施の形態では、装着時に上眼瞼結膜２６ａ及び眼球の表面が蓋となってプール１９ａの開口が閉鎖される。
・・・略・・・
【００５７】
　さらに、本実施の形態では、装着時に下眼瞼結膜２６ｂ及び眼球の表面が蓋となってプール１９ｂの開口が閉鎖される。
・・・略・・・
【００６１】
　さらに、本実施の形態では、薬剤供給補助具１０は、角膜領域を開口する貫通孔１２が形成されている。
【００６２】
　これにより、角膜２４への干渉が生じる可能性又は度合いを低減することができる。レンズ等の媒体が角膜２４に位置することによる角膜２４への干渉としては、例えば、酸素透過性を低下させること、涙液の交換を阻害すること、角膜２４に障害を与えること、異物感を増加させることが考えられる。
【００６３】
　さらに、本実施の形態では、薬剤供給補助具１０は、平面形状が全体として、角丸矩形の各辺１４ａ〜１４ｄが弓形凸部となる形状となっている。
【００６４】
　これにより、平面形状が非円形状である楕円形状となっているので、円形状の構成に比して、眼瞼や眼球の動き等により薬剤供給補助具１０が眼球の表面上で回転する可能性又は度合いを低減することができる。
【００６５】
　本実施の形態において、薬剤供給補助具１０は、発明１乃至６の眼用装着物に対応している。」
（ウ）　「【００６６】
〔第２の実施の形態〕
　次に、本発明の第２の実施の形態を説明する。図３乃至図５は、本実施の形態を示す図である。なお、以下、上記第１の実施の形態と異なる部分についてのみ説明し、重複する部分については同一の符号を付して説明を省略する。
【００６７】
　まず、本実施の形態の構成を説明する。
　図３は、薬剤供給補助具１０の正面図である。
【００６８】
　薬剤供給補助具１０は、図３に示すように、装着時に上眼瞼裏側に位置する横長楕円形状の上眼瞼装着部１８ａと、装着時に右結膜に位置する縦長楕円形状の右結膜装着部１８ｂと、装着時に下眼瞼裏側に位置する横長楕円形状の下眼瞼装着部１８ｃと、装着時に左結膜に位置する縦長楕円形状の左結膜装着部１８ｄと、上眼瞼装着部１８ａ及び右結膜装着部１８ｂを連結するブリッジ部１６ａと、右結膜装着部１８ｂ及び下眼瞼装着部１８ｃを連結するブリッジ部１６ｂと、下眼瞼装着部１８ｃ及び左結膜装着部１８ｄを連結するブリッジ部１６ｃと、左結膜装着部１８ｄ及び上眼瞼装着部１８ａを連結するブリッジ部１６ｄとを有して構成されている。
【００６９】
　装着部１８ａ〜１８ｄは、公知のコンタクトレンズと同様に眼球の表面形状に沿った球面形状となっている。その後面は、眼球の表面にフィットするように眼球の表面と同一又は近い曲率となる球面形状となっている。
【００７０】
　ブリッジ部１６ａ〜１６ｄは、装着部１８ａ〜１８ｄよりも幅狭であり、装着時に角膜２４を回避する経路に形成されている。そして、ブリッジ部１６ａの一端が上眼瞼装着部１８ａに、他端が右結膜装着部１８ｂに接合されている。また、ブリッジ部１６ｂの一端が右結膜装着部１８ｂに、他端が下眼瞼装着部１８ｃに接合されている。また、ブリッジ部１６ｃの一端が下眼瞼装着部１８ｃに、他端が左結膜装着部１８ｄに接合されている。また、ブリッジ部１６ｄの一端が左結膜装着部１８ｄに、他端が上眼瞼装着部１８ａに接合されている。ブリッジ部１６ａ〜１６ｄで区画される開口部（以下「開口部」という。）の径は、角膜２４よりもやや大径となっている。
【００７１】
　右結膜装着部１８ｂの右辺は、右眼角を回避するように左方に弓なりに湾曲する形状であって、装着時に右眼角の水平位置で左方に最も窪む形状となっている。左結膜装着部１８ｄの左辺は、左眼角を回避するように右方に弓なりに湾曲する形状であって、装着時に左眼角の水平位置で右方に最も窪む形状となっている。
【００７２】
　図４は、薬剤４０の形状を示す図であり、（ａ）は薬剤４０の正面図、（ｂ）は正面からみた薬剤４０の斜視図、（ｃ）は背面からみた薬剤４０の斜視図、（ｄ）は（ａ）のＡ−Ａ線に沿った断面図である。
【００７３】
　薬剤４０は、図４に示すように、扁平楕円板状に形成されている。薬剤４０の後面は、装着部１８ａ〜１８ｄの前面にフィットするように装着部１８ａ〜１８ｄの前面と同一又は近い曲率となる球面形状となっている。薬剤４０の後面には、楕円形状の吸盤孔４２が形成されている。吸盤孔４２は吸盤構造となっている。
【００７４】
　次に、本実施の形態の動作を説明する。
　図５は、薬剤供給補助具１０の使用方法を説明するための図であり、（ａ）は眼２０の正面図、（ｂ）は眼２０の縦断面図である。図５（ａ）中、点線で示す最外円は結膜の外縁を示している。
【００７５】
　使用者は、まず、図５に示すように、薬剤４０の後面を上眼瞼装着部１８ａの前面に押し当てると、吸盤孔４２の吸盤室内が陰圧となって吸盤孔４２が上眼瞼装着部１８ａの前面に吸着し、薬剤４０が上眼瞼装着部１８ａに装着される。右結膜装着部１８ｂ、下眼瞼装着部１８ｃ及び左結膜装着部１８ｄにも同様に薬剤４０をそれぞれ装着する。次に、使用者は、薬剤供給補助具１０を装着する。薬剤供給補助具１０は、開口部に角膜２４が収まるようにして装着する。装用時は、上眼瞼装着部１８ａが上眼瞼裏側の深部まで及ぶので、上眼瞼装着部１８ａに装着された薬剤４０が溶け出すと、上眼瞼裏側の部位にその成分が供給される。同様に、下眼瞼装着部１８ｃが下眼瞼裏側の深部まで及ぶので、下眼瞼装着部１８ｃに装着された薬剤４０が溶け出すと、下眼瞼裏側の部位にその成分が供給される。また、薬剤４０の成分が上眼瞼装着部１８ａから下方に流出し又は下眼瞼装着部１８ｃから上方に流出すれば、角膜２４周辺の部位にも薬剤４０の成分が供給される。右結膜装着部１８ｂ及び左結膜装着部１８ｄについても同様であり、右結膜及び左結膜等の部位にその成分が供給される。
【００７６】
　次に、本実施の形態の効果を説明する。
　本実施の形態では、右結膜装着部１８ｂの右辺が左方に弓なりに湾曲する形状となっている。
【００７７】
　これにより、右眼角への干渉が生じる可能性又は度合いを低減することができる。
　さらに、本実施の形態では、右結膜装着部１８ｂの右辺が装着時に右眼角の水平位置で左方に窪む形状となっている。
【００７８】
　これにより、右眼角への干渉が生じる可能性又は度合いを低減することができる。
　さらに、本実施の形態では、右結膜装着部１８ｂの右辺が装着時に右眼角の水平位置で左方に最も窪む形状となっている。
【００７９】
　これにより、右眼角への干渉が生じる可能性又は度合いをさらに低減することができる。
【００８０】
　さらに、本実施の形態では、左結膜装着部１８ｄの左辺が右方に弓なりに湾曲する形状となっている。
【００８１】
　これにより、左眼角への干渉が生じる可能性又は度合いを低減することができる。
　さらに、本実施の形態では、左結膜装着部１８ｄの左辺が装着時に左眼角の水平位置で右方に窪む形状となっている。
【００８２】
　これにより、左眼角への干渉が生じる可能性又は度合いを低減することができる。
　さらに、本実施の形態では、左結膜装着部１８ｄの左辺が装着時に左眼角の水平位置で右方に最も窪む形状となっている。
【００８３】
　これにより、左眼角への干渉が生じる可能性又は度合いをさらに低減することができる。
【００８４】
　さらに、本実施の形態では、薬剤供給補助具１０は、装着時に上眼瞼裏側に位置し眼球に装着可能な上眼瞼装着部１８ａを備える。
【００８５】
　これにより、上眼瞼装着部１８ａが上眼瞼裏側に位置するので、上眼瞼裏側の部位に薬剤４０の成分を効果的に供給することができる。
【００８６】
　さらに、本実施の形態では、薬剤供給補助具１０は、装着時に右結膜に位置し眼球に装着可能な右結膜装着部１８ｂを備える。
【００８７】
　これにより、右結膜装着部１８ｂが右結膜に位置するので、右結膜等の部位に薬剤４０の成分を効果的に供給することができる。
【００８８】
　さらに、本実施の形態では、薬剤供給補助具１０は、装着時に下眼瞼裏側に位置し眼球に装着可能な下眼瞼装着部１８ｃを備える。
・・・略・・・
【００９０】
　さらに、本実施の形態では、薬剤供給補助具１０は、装着時に左結膜に位置し眼球に装着可能な左結膜装着部１８ｄを備える。
【００９１】
　これにより、左結膜装着部１８ｄが左結膜に位置するので、左結膜等の部位に薬剤４０の成分を効果的に供給することができる。
・・・略・・・
【００９４】
　さらに、本実施の形態では、ブリッジ部１６ａ〜１６ｄは、装着時に角膜２４を回避する経路に形成されている。
【００９５】
　これにより、角膜２４への干渉が生じる可能性又は度合いを低減することができる。
　さらに、本実施の形態では、装着部１８ａ〜１８ｄは、装着時に角膜２４を回避し結膜の異なる箇所に位置する。
【００９６】
　これにより、異なる結膜領域（装着時に結膜に位置する領域）に薬剤４０を装着することができる。また、角膜２４への干渉が生じる可能性又は度合いを低減することができる。
【００９７】
　さらに、本実施の形態では、薬剤４０は、薬剤供給補助具１０に吸着する吸盤構造を有する吸盤孔４２を備える。
【００９８】
　これにより、吸盤により薬剤４０が薬剤供給補助具１０に装着されるので、薬剤４０と薬剤供給補助具１０との組み合わせを選択又は変更等することができる。
・・・略・・・
【００９９】
　本実施の形態において、薬剤供給補助具１０は、発明１乃至１１の眼用装着物に対応し、吸盤孔４２は、発明９の吸着手段、又は発明７乃至１１の装着手段に対応している。」
（エ）　「【０１００】
〔変形例〕
　なお、上記第２の実施の形態の変形例として、次の構成を採用することができる。以下の構成中、眼用装着物、眼用器具及び装着手段のバリエーションについては、上記第２の実施の形態及びその変形例を採用することができる。
【０１０１】
〔１層構造：１層目内装着構成〕
　この構成は、眼球に装着する吸盤構造その他の装着手段を有する眼用装着物（１層目）を備え、眼用装着物を眼球に装着する構成である。
【０１０２】
〔２層構造：２層目内装着構成〕
　この構成は、眼球に装着可能な眼用器具（１層目）と、眼用器具に装着する吸盤構造その他の装着手段を有する眼用装着物（２層目）とを備え、眼用装着物を眼用器具に装着する構成である。上記第２の実施の形態がこの構成である。
【０１０３】
〔２層構造：１層目外装着構成〕
　この構成は、眼用装着物（２層目）と、眼用装着物に装着する吸盤構造その他の装着手段を有し眼球に装着可能な眼用器具（１層目）とを備え、眼用装着物を眼用器具に装着する構成である。例えば、図６の変形例を採用することができる。
【０１０４】
　図６の変形例は、薬剤供給補助具１０に吸盤構造を設けた構成である。
・・・略・・・
【０１０７】
〔２層構造：１、２層両装着構成〕
　この構成は、眼球に装着可能な眼用器具（１層目）と、眼用装着物（２層目）と、眼用器具及び眼用装着物を装着する吸盤構造その他の装着手段とを備え、眼用装着物を眼用器具に装着する構成である。眼用器具の装着手段及び眼用装着物の装着手段がそれぞれ相手に装着する構成（〔２層構造：２層目内装着構成〕及び〔２層構造：１層目外装着構成〕）のほか、眼用器具の装着手段及び眼用装着物の装着手段が雄及び雌のように対応して装着する構成が含まれる。
【０１０８】
〔３層構造：２層目両装着構成〕
　この構成は、眼球に装着可能な眼用器具（１層目）と、眼用装着物（３層目）と、眼用器具及び眼用装着物に装着する吸盤構造その他の装着手段を有する眼用アダプタ（２層目）とを備え、眼用アダプタを介して眼用装着物を眼用器具に装着する構成である。例えば、図７の変形例を採用することができる。
【０１０９】
　図７の変形例は、眼用アダプタ５０の前面及び後面に吸盤構造を設けた構成である。
・・・略・・・
【０１１２】
〔３層構造：２層目内装着構成〕
　この構成は、眼球に装着可能な眼用器具（１層目）と、眼用装着物（３層目）と、眼用器具に装着する吸盤構造その他の装着手段を有する眼用アダプタ（２層目）とを備え、眼用アダプタを介して眼用装着物を眼用器具に装着する構成である。眼用アダプタ及び眼用装着物は吸着以外の方法で接合する。ここで、眼用アダプタ及び眼用器具の関係は〔２層構造：２層目内装着構成〕と同じである。例えば、図８の変形例を採用することができる。
【０１１３】
　図８の変形例は、眼用アダプタ５０の後面に吸盤構造を設けた構成である。
・・・略・・・
【０１１４】
　図７の変形例では、眼用アダプタ５０の前面に吸盤孔５０ａを形成したが、図８の変形例では、吸盤孔５０ａを形成せず、薬剤４０の後面と眼用アダプタ５０の前面を接着等により接合する。その他、薬剤４０を表面張力により眼用アダプタ５０の前面に取り付けてもよい。
【０１１５】
〔３層構造：２層目外装着構成〕
　この構成は、眼球に装着可能な眼用器具（１層目）と、眼用装着物（３層目）と、眼用装着物に装着する吸盤構造その他の装着手段を有する眼用アダプタ（２層目）とを備え、眼用アダプタを介して眼用装着物を眼用器具に装着する構成である。眼用アダプタ及び眼用器具は吸着以外の方法で接合する。ここで、眼用アダプタ及び眼用装着物の関係は〔２層構造：１層目外装着構成〕と同じである。例えば、図７の変形例では、眼用アダプタ５０の後面に吸盤孔５０ｂを形成したが、吸盤孔５０ｂを形成せず、眼用アダプタ５０の後面と上眼瞼装着部１８ａの前面を接着等により接合する。その他、眼用アダプタ５０を表面張力により上眼瞼装着部１８ａの前面に取り付けてもよい。
【０１１６】
〔前後方向外装着構成〕
　この構成は、水平方向、上下方向その他前後方向以外の方向に眼用装着物同士を装着し、装着した複数の眼用装着物を眼用器具又は眼球に装着する構成である。」
（オ）　「【０１１７】
　また、上記第１の実施の形態及びその変形例においては、上辺１４ａ、右辺１４ｂ、下辺１４ｃ及び左辺１４ｄの形状等を例示したが、これに限らず、薬剤供給補助具１０の縁は、任意の大きさ、任意の形状、任意の範囲で構成することができる。例えば、弓形凹部その他の窪む形状、弓形凸部その他の出っ張り形状、波形状、曲線形状、流線形状、直線形状、その他の幾何学形状などを採用することができる。
・・・略・・・
【０１１８】
　また、上記第２の実施の形態及びその変形例においては、右結膜装着部１８ｂの右辺及び左結膜装着部１８ｄの左辺の形状等を例示したが、これに限らず、薬剤供給補助具１０の縁は、任意の大きさ、任意の形状、任意の範囲で構成することができる。例えば、弓形凹部その他の窪む形状、弓形凸部その他の出っ張り形状、波形状、曲線形状、流線形状、直線形状、その他の幾何学形状などを採用することができる。
・・・略・・・
【０１２３】
　さらに、上記第１及び第２の実施の形態並びにその変形例においては、右辺１４ｂ又は右結膜装着部１８ｂの右辺を対象として、これを左方に弓なりに湾曲する形状に形成したが、これに限らず、装着時に右眼角に臨む縁であれば任意の縁を対象とすることができる。例えば、右辺を多層に形成した場合は、最左層の辺を左方に弓なりに湾曲する形状に形成することができる。
【０１２４】
　さらに、上記第１及び第２の実施の形態並びにその変形例においては、左辺１４ｄ又は左結膜装着部１８ｄの左辺を対象として、これを右方に弓なりに湾曲する形状に形成したが、これに限らず、装着時に左眼角に臨む縁であれば任意の縁を対象とすることができる。例えば、左辺を多層に形成した場合は、最右層の辺を右方に弓なりに湾曲する形状に形成することができる。
【０１２５】
　また、上記第２の実施の形態の変形例として、図９の変形例を採用することができる。
　図９の変形例は、３つ以上の装着部を設けた構成である。
【０１２６】
　図９は、薬剤供給補助具１０の正面図である。図９（ａ）〜（ｃ）中、二点鎖線で示す円は結膜の外縁を示している。
【０１２７】
　図９（ａ）の変形例では、薬剤供給補助具１０は、上眼瞼装着部１８ａと、下眼瞼装着部１８ｃと、左結膜装着部１８ｄと、上眼瞼装着部１８ａ及び下眼瞼装着部１８ｃを連結するブリッジ部１６ａと、ブリッジ部１６ｃと、ブリッジ部１６ｄとを有して構成されている。
【０１２８】
　図９（ｂ）の変形例では、薬剤供給補助具１０は、上眼瞼装着部１８ａと、右結膜装着部１８ｂと、下眼瞼装着部１８ｃと、ブリッジ部１６ａと、ブリッジ部１６ｂと、上眼瞼装着部１８ａ及び下眼瞼装着部１８ｃを連結するブリッジ部１６ｃとを有して構成されている。
【０１２９】
　図９（ｃ）の変形例では、薬剤供給補助具１０は、上眼瞼装着部１８ａと、右結膜装着部１８ｂと、下眼瞼装着部１８ｃと、左結膜装着部１８ｄと、上眼瞼装着部１８ａ及び下眼瞼装着部１８ｃを連結するブリッジ部１６ａと、右結膜装着部１８ｂ及び左結膜装着部１８ｄを連結するブリッジ部１６ｂとを有して構成されている。ブリッジ部１６ａ、１６ｂは、中央（瞳孔領域）で接合されている。
・・・略・・・
【０１３５】
　また、上記第１及び第２の実施の形態並びにその変形例においては、薬剤供給補助具１０を眼球に直接装着したが、これに限らず、１又は複数の媒体（例えば、部材）を介して薬剤供給補助具１０を間接的に眼球に装着することもできる。例えば、図１０の変形例を採用することができる。
【０１３６】
　図１０は、コンタクトレンズ６０の縦断面図である。
　コンタクトレンズ６０は、図１０に示すように、ソフトコンタクトレンズからなる内レンズ６２と、内レンズ６２の前面に対面して配置されるソフトコンタクトレンズからなる外レンズ６４とを有して構成されている。内レンズ６２及び外レンズ６４は、ソフトコンタクトレンズとして従来周知の基本形状であり、全体として球殻形状となっている。
【０１３７】
　内レンズ６２及び外レンズ６４は開閉可能に下端が接合されている。内レンズ６２と外レンズ６４の接合部６６以外は開口しており、被収容物は、この開口から挿入可能となっている。コンタクトレンズ６０は、内レンズ６２及び外レンズ６４を一体成形により製造することができる。なお、内レンズ６２及び外レンズ６４の一方又は両方には、薬剤４０の成分を通過させるための孔（貫通孔又は凹部）（以下「薬剤通過孔」という。）を形成することもできる。
【０１３８】
　薬剤供給補助具１０は、内レンズ６２及び外レンズ６４と同様に全体として球殻形状となっている。具体的には、薬剤供給補助具１０の後面は、内レンズ６２の前面にフィットするように内レンズ６２の前面と同一又は近い曲率となる球面形状となっている。同様に、薬剤供給補助具１０の前面は、外レンズ６４の後面にフィットするように外レンズ６４の後面と同一又は近い曲率となる球面形状となっている。
【０１３９】
　使用者は、内レンズ６２と外レンズ６４との間を開き、外レンズ６４の後面に薬剤供給補助具１０を取り付け、内レンズ６２と外レンズ６４との間を閉じる。これにより、薬剤供給補助具１０は、内レンズ６２の前面と外レンズ６４の後面との間で挟持される。そして、使用者は、薬剤供給補助具１０を挟持した状態でコンタクトレンズ６０を装着する。装用時は、薬剤４０が溶け出すと、内レンズ６２及び外レンズ６４の境界から流出し又は内レンズ６２若しくは外レンズ６４の薬剤通過孔を通過して結膜や角膜等の部位にその成分が供給される。
【０１４０】
　なお、図１０の変形例は、薬剤４０を装着する場合に限定されるものではなく、薬剤供給補助具１０上に点眼薬を点眼する場合、又は薬剤供給補助具１０上（プール１９ａ、１９ｂ上を含む。）に軟膏薬を塗布する場合についても同様に適用することができる。また、コンタクトレンズ６０は、内レンズ６２だけの構成とすることもできる。この場合、薬剤供給補助具１０は、吸着その他の装着手段により内レンズ６２の前面に装着し、内レンズ６２を介して眼球に装着する。また、コンタクトレンズ６０は、外レンズ６４だけの構成とすることもできる。この場合、薬剤供給補助具１０は、吸着その他の装着手段により外レンズ６４の後面に装着し、眼球に直接装着する。また、内レンズ６２又は外レンズ６４として、市販のコンタクトレンズを利用することもできるし、１又は複数の薬剤通過孔を形成した孔空きコンタクトレンズを利用することもできる。
・・・略・・・
【０１４６】
　また、上記第２の実施の形態及びその変形例においては、吸盤構造により薬剤４０を薬剤供給補助具１０に装着したが、これに限らず、吸盤構造以外の吸着手段により薬剤４０を装着することもでき、さらには吸着以外の装着手段により薬剤４０を装着することもできる。装着手段は任意である。吸着以外の装着手段としては、例えば、粘着、接着、表面張力による取り付け、ヒンジ構造、ねじ構造、かしめ構造、ソケット構造、インロー嵌合構造、嵌め込み構造、差し込み構造、組み付け構造、連結構造その他任意の結合構造を採用することができる。ねじ構造としては、例えば、（１）薬剤供給補助具１０及び薬剤４０を貫通する雌ねじを形成し、これに雄ねじをねじ込んで接合する構造、（２）薬剤供給補助具１０及び薬剤４０の一方に雄ねじを形成し、他方に雌ねじを形成し、一方を他方にねじ込んで接合する構造を採用することができる。嵌め込み構造としては、例えば、薬剤供給補助具１０及び薬剤４０の一方に突起を形成し、この突起を受けるための孔（貫通孔又は凹部）を他方に形成し、一方を他方に嵌め込んで接合する構造を採用することができる。差し込み構造としては、例えば、薬剤供給補助具１０及び薬剤４０の一方に、他方に差し込み可能な突起（例えば、先端を尖らせた形状等の突起）を形成し、一方を他方に差し込んで接合する構造を採用することができる。連結構造としては、例えば、継手、連結器その他の連結手段で薬剤供給補助具１０及び薬剤４０を連結する構造を採用することができる。また、結合構造として、例えば、（１）薬剤供給補助具１０及び薬剤４０を直接結合する構造、（２）１又は複数の媒体（例えば、部材）を介して薬剤供給補助具１０及び薬剤４０を間接的に結合する構造を採用することができる。また、結合構造として、例えば、（１）薬剤供給補助具１０又は薬剤４０が取り外し可能な構造を採用することもでき、（２）さらに薬剤供給補助具１０又は薬剤４０が再結合可能な構造を採用することもできる。
・・・略・・・
【０１４９】
　また、上記第２の実施の形態及びその変形例においては、薬剤供給補助具１０に薬剤４０を装着したが、これに限らず、薬剤４０を装着しなくてもよい。この場合、例えば、特許文献１記載のコンタクトレンズのように、薬剤４０の成分を原料樹脂内に混入して薬剤供給補助具１０を構成することができる。また例えば、薬剤供給補助具１０に代えて、薬剤供給補助具１０と同様の形状に形成した薬剤その他の眼用装着物を用いることができる。
・・・略・・・
【０１５３】
　また、上記第１及び第２の実施の形態並びにその変形例において、薬剤供給補助具１０は、ソフトコンタクトレンズと同一の材質で構成したが、これに限らず、ハードコンタクトレンズと同一の材質その他の材質で構成することもできる。例えば、薬剤その他の眼用装着物として構成することができる。
・・・略・・・
【０１５９】
　また、上記第２の実施の形態及びその変形例においては、薬剤４０を眼用装着物として採用したが、これに限らず、眼に装着可能な眼用装着物であれば任意の眼用装着物を採用することができる。眼用装着物としては、例えば、（１）電子デバイス、（２）ソフトコンタクトレンズ、ハードコンタクトレンズその他のレンズ、光ファイバー、光導波路、光アイソレータ、半導体レーザ等の光学デバイス、（３）薬剤供給補助具、（４）矯正具、（５）薬剤、（６）サプリメント、（７）磁性流体、又は（８）その他の眼用装着物を採用することができる。ここで、眼用装着物が電子デバイスの場合、（１）眼に対し情報の提供を行うデバイス（例えば、投影機）、（２）眼に関する情報の収集を行うデバイス（例えば、カメラ、生体センサその他のセンサ）、（３）眼の外側に対し情報の提供を行うデバイス（例えば、ディスプレイ）、（４）眼の外側に関する情報の収集を行うデバイス（例えば、カメラ、生体センサその他のセンサ）、（５）眼に対し機能の維持、回復若しくは付与又は作用を行うデバイス（例えば、医療機器、発光素子、圧電素子、振動素子、発熱素子）、又は（６）眼の外側に対し機能の付与又は作用を行うデバイス（例えば、医療機器、発光素子、圧電素子、振動素子、発熱素子）を採用することができる。また、電子デバイスに代えて光学デバイスその他の眼用デバイスを採用する場合も、同様に上記（１）〜（６）の機能を備えるデバイスを採用することができる。また、眼用装着物がハードコンタクトレンズの場合、ハードコンタクトレンズが眼球に直接接触しにくいので装用感を向上することができる。
【０１６０】
　また、上記第１及び第２の実施の形態並びにその変形例においては、薬剤供給補助具１０を眼用器具として採用したが、これに限らず、眼に装着可能な眼用器具であれば任意の眼用器具を採用することができる。眼用器具としては、例えば、（１）電子デバイス、（２）ソフトコンタクトレンズ、ハードコンタクトレンズその他のレンズ、光ファイバー、光導波路、光アイソレータ、半導体レーザ等の光学デバイス、（３）薬剤供給補助具、（４）矯正具、又は（５）その他の眼用器具を採用することができる。また、薬剤供給補助具１０としては、これら（１）〜（５）以外に、眼に装着可能な眼用装着物を採用することができる。眼用装着物としては、例えば、これら（１）〜（５）以外に、（６）薬剤、（７）サプリメント、（８）磁性流体、又は（９）その他の眼用装着物を採用することができる。
・・・略・・・
【０１６３】
　また、上記第１及び第２の実施の形態並びにその変形例は相互に適用することができる。
【０１６４】
　また、上記第１及び第２の実施の形態並びにその変形例においては、薬剤供給補助具１０に本発明を適用したが、これに限らず、本発明の主旨を逸脱しない範囲で他の場合にも適用可能である。
【符号の説明】
【０１６５】
１０…薬剤供給補助具、　１０ａ、４２、５０ａ、５０ｂ…吸盤孔、１２…貫通孔、　１４ａ…上辺、　１４ｂ…右辺、　１４ｃ…下辺、　１４ｄ…左辺、　１４ｅ…左上肩、　１４ｆ…右上肩、　１４ｇ…右下肩、　１４ｈ…左下肩、　１６ａ〜１６ｄ…ブリッジ部、　１８ａ…上眼瞼装着部、　１８ｂ…右結膜装着部、１８ｃ…下眼瞼装着部、　１８ｄ…左結膜装着部、　１９ａ、１９ｂ…プール、　２０…眼、　２２…瞳孔、　２４…角膜、　２６ａ…上眼瞼結膜、　２６ｂ…下眼瞼結膜、　２６ｃ…左結膜、　２６ｄ…右結膜、　２６ｅ…上眼瞼結膜円蓋部、　２６ｆ…下眼瞼結膜円蓋部、　４０…薬剤、　５０…眼用アダプタ、６０…コンタクトレンズ、　　６２…内レンズ、　６４…外レンズ、　６６…接合部」
ウ　図面
　「【図１】
【図２】
【図３】
【図４】
【図５】
【図６】
【図７】
【図８】
【図９】
【図１０】
」
（３）　上記（２）より、当初明細書等に記載された事項として以下の事項を把握することができる。
［Ａ１］　「発明が解決しようとする課題」である眼角への干渉を低減するのに好適な「眼用装着物」（【０００４】、【０００５】）であって、請求項１〜６に記載の「眼用装着物」、あるいは〔発明１〕〜〔発明６〕の「眼用装着物」である、「眼に装着可能な眼用装着物であって」、「装着時に右（左）眼角に臨む縁が（右（左）眼角の水平位置で）左（右）方に（最も）窪む形状となっている眼用装着物」（【０００６】〜【００１４】）。
［Ａ２］　〔発明１〕〜〔発明６〕（請求項１〜６）の「眼用装着物を、眼に装着する態様としては、眼用装着物を眼に直接装着すること、眼との間に１又は複数の媒体（例えば、部材）を介在させて眼用装着物を眼に間接的に装着することが含まれる」こと（【０００７】）。
［Ａ３］　〔発明１〕〜〔発明６〕（請求項１〜６）の「眼用装着物は、人又は動物の眼球に装着可能な物として、より具体的には、眼球に形状適合性を有する曲面状又は眼球の表面形状に沿った球面形状の物として構成することができる」こと（【０００８】）。
［Ｂ１］　「発明が解決しようとする課題」である眼角への干渉を低減するのに好適な「薬剤供給眼用装着物」（【０００４】、【０００５】）であって、請求項７〜１１に記載の「薬剤供給眼用装着物」及び当該「薬剤供給眼用装着物」における「眼用装着物」、あるいは〔発明７〕〜〔発明１１〕の「薬剤供供給眼用装着物」及び当該「薬剤供給眼用装着物」における「眼用装着物」である、「眼に装着可能な眼用装着物と、装着手段（被装着対象に吸着する吸着手段）を有する薬剤とを備え、前記装着手段が前記眼用装着物に装着して前記薬剤が前記眼用装着物に装着される薬剤供給眼用装着物であって」、「前記眼用装着物は、前記装着手段が装着可能な領域を有し、装着時に右（左）眼角に臨む縁が左（右）方に窪む形状となっている」「薬剤供給眼用装着物」、及び、「前記薬剤供給眼用装着物における前記薬剤を装着可能で且つ眼に装着可能な眼用装着物であって、前記装着手段が装着可能な領域を有し、装着時に右（左）眼角に臨む縁が左（右）方に窪む形状となっている眼用装着物」（【００１５】〜【００２４】）。
［Ｂ２］　〔発明７〕〜〔発明１１〕（あるいは請求項７〜１１）の「薬剤供給眼用装着物」及び「薬剤供給眼用装着物」における「眼用装着物」においては、「眼に装着する態様としては」、「眼に直接装着すること、眼との間に１又は複数の媒体（例えば、部材）を介在させて」「眼に間接的に装着することが含まれる」こと（【０００７】）。
［Ｂ３］　〔発明７〕〜〔発明１１〕（あるいは請求項７〜１１）の「薬剤供給眼用装着物」及び「薬剤供給眼用装着物」における「眼用装着物」においては、「人又は動物の眼球に装着可能な物として、より具体的には、眼球に形状適合性を有する曲面状又は眼球の表面形状に沿った球面形状の物として構成することができる」こと（【０００８】）。
［Ｃ１］　〔発明１〕〜〔発明６〕（請求項１〜６）の「眼用装着物」、あるいは〔発明７〕〜〔発明１１〕（あるいは請求項７〜１１）の「薬剤供給眼用装着物」及び「薬剤供給眼用装着物」における「眼用装着物」としては、例えば、「眼用デバイス」、「薬剤供給補助具」、「矯正具」、「薬剤」、「サプリメント」及び「磁性流体」が含まれること。
　「眼用デバイス」としては、例えば、（１）眼に対し情報の提供を行うデバイス、（２）眼に関する情報の収集を行うデバイス、（３）眼の外側に対し情報の提供を行うデバイス、（４）眼の外側に関する情報の収集を行うデバイス、（５）眼に対し機能の維持、回復若しくは付与又は作用を行うデバイス、及び（６）眼の外側に対して機能の付与又は作用を行うデバイスが含まれ、これらのうち（３）の機能としては、例えば、認証装置等に対して認証情報を投影する機能が挙げられること。
　「眼用デバイス」としては、例えば、（１）光学デバイス（例えば、レンズ、光ファイバー、高導波路、光アイソレータ、半導体レーザ）、及び（２）電子デバイス（例えば、カメラ、投影機、センサ）が含まれこと（【０００９】）。
［Ｂ４］　〔発明７〕〜〔発明９〕の「薬剤供給眼用装着物」の「装着手段」としては、例えば、「眼用装着物」及び「薬剤」の一方に装着のための構成（例えば、吸盤構造）を設け、薬剤の当該構成が眼用装着物に装着する構成として実現する場合、両方に装着のための構成を設け、それぞれが雄及び雌のように対応して装着する構成が含まれること（【００１７】、【００２２】）。
［Ａ４］　〔第１の実施形態〕として記載された、〔発明１〕〜〔発明６〕（請求項１〜６）の「眼用装着物」に対応する「薬剤供給補助具１０」であって、公知のソフトレコンタクトレンズと同様に眼球の表面形状に沿った球面形状でなっている「薬剤供給補助具１０」であり、公知のソフトコンタクトレンズと異なり、装着時に眼瞼裏側の深部にまで及び領域を有し、中央に形成された角膜よりも大径の「貫通孔」と、右眼角（右目の場合は内眼角、左眼の場合は外眼角）を回避するように、装着時に右眼角の水平位置で左方に最も窪むように左方に弓なりに湾曲する形状の「右辺１４ｂ」と、左眼角（右目の場合は外眼角、左眼の場合は内眼角）を回避するように、装着時に左眼角の水平位置で右方に最も窪むように右方に弓なりに湾曲する形状の「左辺１４ｄ」と、「上眼瞼結膜円蓋部」とともに「薬剤」を貯留する「プール１９ａ」を区画する「上辺１４ａ」と、「下眼瞼結膜円蓋部」とともに「薬剤」を貯留する「プール１９ｂ」を区画する「下辺１４ｃ」とを有する「薬剤供給補助具１０」（【００３４】〜【００６５】、図１、図２）。
［Ｂ５］　〔第２の実施形態〕として記載された、〔発明７〕〜〔発明１１〕（請求項７〜１１）の「薬剤供給眼用装着物」及び「眼用装着物」に対応する「薬剤供給補助具１０」であって、角膜よりも大径の「開口部」と、装着時に右結膜に位置し、右眼角を回避するように、装着時に右眼角の水平位置で左方に最も窪むように左方に弓なりに湾曲する形状の「右結膜装着部１８ｂ」と、装着時に左結膜に位置し、左眼角を回避するように、装着時に左眼角の水平位置で右方に最も窪むように右方に弓なりに湾曲する形状の「左結膜装着部１８ｄ」と、「上眼瞼装着部１８ａ」と、「下眼瞼装着部１８ｃ」とを有し、〔発明７〕〜〔発明１１〕（請求項７〜１１）の「装着手段」（あるいは「吸着手段」）に対応する、後面が「装着部１８ａ〜１８ｄ」の前面にフィットする球面形状となっているとともに、後面に吸盤構造となる吸盤孔が形成された「薬剤４０」が、「装着部１８ａ〜１８ｄ」に装着される「薬剤供給補助具１０」（【００６６】〜【００９９】、図３〜５）。
［Ｂ６］　〔第２の実施形態〕の変形例として、以下の［Ｂ６−１］〜［Ｂ６−１０］の構成を採用することができ、以下の［Ｂ６−１］〜［Ｂ６−１０］の構成中、「眼用装着物」、「眼用器具」及び「装着手段」のバリエーションについては、〔第２の実施形態〕及びその変形例を採用することができること（【０１００】〜【０１１６】）。
［Ｂ６−１］　眼球に装着する装着手段を有する「眼用装着物」（１層目）を備え、「眼用装着物」を眼球に装着する構成（〔１層構造：１層目内装着構成〕）（【０１０１】）。
［Ｂ６−２］　眼球に装着可能な「眼用器具」（１層目）と、眼用器具に装着する「装着手段」を有する「眼用装着物」（２層目）とを備え、「眼用装着物」を「眼用器具」に装着する構成（〔２層構造：２層目内装着構成〕、〔第２の実施形態〕に対応）（【０１０２】）。
［Ｂ６−３］　「眼用装着物」（２層目）と、「眼用装着物」に装着する「装着手段」を有し眼球に装着可能な「眼用器具」（１層目）とを備え、「眼用装着物」を「眼用器具」に装着する構成（〔２層構造：１層目外装着構成〕）（【０１０３】〜【０１０６】）。
［Ｂ６−４］　眼球に装着可能な「眼用器具」（１層目）と、「眼用装着物」（２層目）と、眼用器具及び眼用装着物を装着する「装着手段」とを備え、「眼用装着物」を「眼用器具」に装着する構成（「眼用器具」の「装着手段」及び「眼用装着物」の「装着手段」がそれぞれ相手に装着する構成（〔２層構造：２層目内装着構成〕及び〔２層構造：１層目外装着構成〕）のほか、「眼用器具」の「装着手段」及び「眼用装着物」の「装着手段」が雄及び雌のように対応して装着する構成が含まれる。）（【０１０７】）。
［Ｂ６−５］　眼球に装着可能な「眼用器具」（１層目）と、「眼用装着物」（３層目）と、「眼用器具」及び「眼用装着物」に装着する「装着手段」を有する「眼用アダプタ」（２層目）とを備え、「眼用アダプタ」を介して「眼用装着物」を「眼用器具」に装着する構成（〔３層構造：２層目両装着構成〕）（【０１０８】〜【０１１１】）。
［Ｂ６−６］　眼球に装着可能な「眼用器具」（１層目）と、「眼用装着物」（３層目）と、「眼用器具」に装着する吸盤構造その他の「装着手段」を有する「眼用アダプタ」（２層目）とを備え、「眼用アダプタ」を介して「眼用装着物」を「眼用器具」に装着する構成（〔３層構造：２層目内装着構成〕）(【０１１２】〜【０１１４】)。
［Ｂ６−７］　眼球に装着可能な「眼用器具」（１層目）と、「眼用装着物」（３層目）と、「眼用装着物」に装着する「装着手段」を有する「眼用アダプタ」（２層目）とを備え、「眼用アダプタ」を介して「眼用装着物」を「眼用器具」に装着する構成（〔３層構造：２層目外装着構成〕）（【０１１５】）。
［Ｂ６−８］　水平方向、上下方向その他前後方向以外の方向に「眼用装着物」同士を装着し、装着した複数の「眼用装着物」を「眼用器具」又は眼球に装着する構成（〔前後方向外装着構成〕）（【０１１６】）。
［Ｂ６−９］　〔第１の実施の形態〕及びその変形例においては、薬剤供給補助具１０の縁は、任意の大きさ、任意の形状、任意の範囲で構成することができること（【０１１７】）。
［Ｂ６−１０］　〔第２の実施の形態〕及びその変形例においては、薬剤供給補助具１０の縁は、任意の大きさ、任意の形状、任意の範囲で構成することができること（【０１１８】）。
［Ｃ２］　第１及び第２の実施の形態並びにその変形例においては、装着時に右（左）眼角に臨む縁であれば任意の縁を対象とすることができ、例えば、右（左）辺を多層に形成した場合は、最左（右）層の辺を左（右）方に弓なりに湾曲する形状に形成することができること（【０１２３】、【０１２４】）。
［Ｃ３］　上記第１及び第２の実施の形態並びにその変形例においては、「薬剤供給補助具１０」を眼球に直接装着したが、これに限らず、１又は複数の媒体（例えば、部材）を介して薬剤供給補助具１０を間接的に眼球に装着することもでき、例えば、従来周知の基本形状であり、全体として球殻形状となっているソフトコンタクトレンズである「内レンズ６２」及び「外レンズ６４」が開閉可能に下端が接合され、「内レンズ６２」と「外レンズ６４」の接合部６６以外は開口しており、被収容物がこの開口から挿入可能となっている「コンタクトレンズ６０」であって、ソフトコンタクトレンズである「内レンズ６２」及び「外レンズ６４」を一体成形により製造することができる「コンタクトレンズ６０」を用いて、「内レンズ６２」と「外レンズ６４」との間を開き、「外レンズ６４」の後面に「薬剤供給補助具１０」を取り付け、「内レンズ６２」と「外レンズ６４」との間を閉じ、「薬剤供給補助具１０」を「内レンズ６２」の「前面と外レンズ６４」の後面との間で挟持した状態で「コンタクトレンズ６０」を装着する変形例を採用することができること（【０１３５】〜【０１３９】、図１０）。
　「コンタクトレンズ６０」を「内レンズ６２」だけの構成とし、「薬剤供給補助具１０」を装着手段により「内レンズ６２」の前面に装着し、「内レンズ６２」を介して眼球に装着したり、「コンタクトレンズ６０」を「外レンズ６４」だけの構成とし、「薬剤供給補助具１０」を装着手段により「外レンズ６４」の後面に装着し、眼球に直接装着したりできること（【０１４０】）。
　「内レンズ６２」又は「外レンズ６４」として、市販のコンタクトレンズを利用することもできるし、１又は複数の薬剤通過孔を形成した孔空きコンタクトレンズを利用することもできること（【０１４０】）。
［Ｂ７］　〔第２の実施の形態〕及びその変形例においては、吸盤構造以外の「吸着手段」により「薬剤４０」を装着することもでき、さらには吸着以外の任意の「装着手段」により「薬剤４０」を装着することもできること。
　吸着以外の「装着手段」としては、例えば、粘着、接着、表面張力による取り付け、ヒンジ構造、ねじ構造、かしめ構造、ソケット構造、インロー嵌合構造、嵌め込み構造、差し込み構造、組み付け構造、連結構造その他任意の結合構造を採用することができること。
　ねじ構造としては、例えば、（１）「薬剤供給補助具１０」及び「薬剤４０」を貫通する雌ねじを形成し、これに雄ねじをねじ込んで接合する構造、（２）「薬剤供給補助具１０」及び「薬剤４０」の一方に雄ねじを形成し、他方に雌ねじを形成し、一方を他方にねじ込んで接合する構造を採用することができること。
　嵌め込み構造としては、例えば、「薬剤供給補助具１０」及び「薬剤４０」の一方に突起を形成し、この突起を受けるための孔（貫通孔又は凹部）を他方に形成し、一方を他方に嵌め込んで接合する構造を採用することができること。
　差し込み構造としては、例えば、「薬剤供給補助具１０」及び「薬剤４０」の一方に、他方に差し込み可能な突起を形成し、一方を他方に差し込んで接合する構造を採用することができること。
　連結構造としては、例えば、継手、連結器その他の連結手段で「薬剤供給補助具１０」及び「薬剤４０」を連結する構造を採用することができること。
　結合構造として、例えば、（１）「薬剤供給補助具１０」及び「薬剤４０」を直接結合する構造、（２）１又は複数の媒体（例えば、部材）を介して「薬剤供給補助具１０」及び「薬剤４０」を間接的に結合する構造を採用することができること。
　結合構造として、例えば、（１）「薬剤供給補助具１０」又は「薬剤４０」が取り外し可能な構造を採用することもでき、（２）さらに「薬剤供給補助具１０」又は「薬剤４０」が再結合可能な構造を採用することもできること（以上【０１４６】）。
［Ｂ８］　〔第２の実施の形態〕及びその変形例においては、「薬剤供給補助具１０」に「薬剤４０」を装着したが、これに限らず、「薬剤４０」を装着しなくてもよく、この場合、例えば、「薬剤４０」の成分を原料樹脂内に混入して「薬剤供給補助具１０」を構成することができ、また例えば、「薬剤供給補助具１０」に代えて、「薬剤供給補助具１０」と同様の形状に形成した「薬剤」その他の「眼用装着物」を用いることができること（【０１４９】）。
［Ｃ４］　第１及び第２の実施の形態並びにその変形例において、「薬剤供給補助具１０」は、ソフトコンタクトレンズと同一の材質で構成したが、これに限らず、ハードコンタクトレンズと同一の材質その他の材質で構成することもでき、例えば、「薬剤」その他の「眼用装着物」として構成することができること（【０１５３】）。
［Ｂ９］　〔第２の実施の形態〕及びその変形例においては、「薬剤４０」を「眼用装着物」として採用したが、眼に装着可能な「眼用装着物」であれば任意の「眼用装着物」を採用することができること。
　「眼用装着物」としては、例えば、（１）電子デバイス、（２）ソフトコンタクトレンズ、ハードコンタクトレンズその他のレンズ、光ファイバー、光導波路、光アイソレータ、半導体レーザ等の光学デバイス、（３）薬剤供給補助具、（４）矯正具、（５）薬剤、（６）サプリメント、（７）磁性流体、又は（８）その他の「眼用装着物」を採用することができること。
　「眼用装着物」が電子デバイスの場合、（１）眼に対し情報の提供を行うデバイス（例えば、投影機）、（２）眼に関する情報の収集を行うデバイス（例えば、カメラ、生体センサその他のセンサ）、（３）眼の外側に対し情報の提供を行うデバイス（例えば、ディスプレイ）、（４）眼の外側に関する情報の収集を行うデバイス（例えば、カメラ、生体センサその他のセンサ）、（５）眼に対し機能の維持、回復若しくは付与又は作用を行うデバイス（例えば、医療機器、発光素子、圧電素子、振動素子、発熱素子）、又は（６）眼の外側に対し機能の付与又は作用を行うデバイス（例えば、医療機器、発光素子、圧電素子、振動素子、発熱素子）を採用することができること。
　電子デバイスに代えて光学デバイスその他の眼用デバイスを採用する場合も、同様に上記（１）〜（６）の機能を備えるデバイスを採用することができること。
　「眼用装着物」がハードコンタクトレンズの場合、ハードコンタクトレンズが眼球に直接接触しにくいので装用感を向上することができること（以上【０１５９】）。
［Ｃ５］　第１及び第２の実施の形態並びにその変形例においては、「薬剤供給補助具１０」を「眼用器具」として採用したが、これに限らず、眼に装着可能な「眼用器具」であれば任意の「眼用器具」を採用することができること。
　「眼用器具」としては、例えば、（１）電子デバイス、（２）ソフトコンタクトレンズ、ハードコンタクトレンズその他のレンズ、光ファイバー、光導波路、光アイソレータ、半導体レーザ等の光学デバイス、（３）薬剤供給補助具、（４）矯正具、又は（５）その他の眼用器具を採用することができること。
　また、「薬剤供給補助具１０」としては、これら（１）〜（５）以外に、眼に装着可能な「眼用装着物」を採用することができること。
　「眼用装着物」としては、例えば、これら（１）〜（５）以外に、（６）薬剤、（７）サプリメント、（８）磁性流体、又は（９）その他の「眼用装着物」を採用することができること（以上【０１６０】）。
［Ｃ６］　第１及び第２の実施の形態並びにその変形例は相互に適用することができること（【０１６３】）。
［Ｃ７］　第１及び第２の実施の形態並びにその変形例においては、「薬剤供給補助具１０」に本発明を適用したが、これに限らず、本発明の主旨を逸脱しない範囲で他の場合にも適用可能であること(【０１６４】)。
（４）　本件補正後の請求項１、２に係る発明は、「眼に装着可能な眼用器具」であって、「全体が眼球の表面形状に沿った球面形状及び装着時に右（左）眼角に臨む縁が左（右）方に窪む形状の第１挟持体と、全体が眼球の表面形状に沿った球面形状及び装着時に右（左）眼角に臨む縁が左（右）方に窪む形状の第２挟持体とを備え、前記第１挟持体と前記第２挟持体との間で被挟持物を挟持可能であり」、「前記第１挟持体と前記第２挟持体との間が前記被挟持物を挿入可能に開口し前記第１挟持体及び前記第２挟持体が結合されている」ものを含むである。
　これに対して、当初明細書等に記載された、「被挟持物を挟持可能」である「第１挟持体」及び「第２挟持体」を備えた「眼に装着可能な眼用器具」については、上記（３）の［Ｃ３］のとおり、第１の実施例の形態及び第２の実施の形態並びにその変形例に限らず、「薬剤供給補助具１０」を間接的に眼に装着するための手段としては、「ソフトコンタクトレンズとして従来周知の基本形状であり、全体として球殻形状となっている」とされる、「内レンズ６２」及び「外レンズ６４」が開閉可能に下端が接合され、接合部６６以外は開口しており、被収容物がこの開口から挿入可能となっており、使用者は、一体成形により製造することができる「内レンズ６２」と「外レンズ６４」との間を開き、「外レンズ６４」の後面に「薬剤供給補助具１０」を取り付け、「内レンズ６２」と「外レンズ６４」との間を閉じ、「薬剤供給補助具１０」を「内レンズ６２」の前面と「外レンズ６４」の後面との間で挟持した状態で眼球に装着するようにした、コンタクトレンズからなるものが把握できるだけである。そして、この「内レンズ６２」及び「外レンズ６４」は、「ソフトコンタクトレンズとして従来周知の基本形状であり、全体として球殻形状となっている」ものであるから、装着時に右（左）眼角に臨む縁が左（右）方に窪む形状となっているとは認められない。
　さらに、通常の「ソフトコンタクトレンズ」の基本形状は、眼角にまで及ぶほどのものではない。そうすると、上記［Ｃ３］の、「従来周知の基本形状であり、全体として球殻形状となっている」ソフトコンタクトレンズからなる「内レンズ６２」及び「外レンズ６４」は、装着時に眼角への干渉を考慮する必要がないものである（上記［Ｃ３］の「内レンズ６２又は外レンズ６４として、市販のコンタクトレンズを利用することもできる」との事項からも、「コンタクトレンズ６０」（「内レンズ６２」又は「外レンズ６４」）が、装着時に右（左）眼角に臨む縁が左（右）方に窪む形状となっていないと理解することができる。）。
　そうしてみると、上記（３）で挙げた全ての事項を含めて考慮したとしても、上記［Ｃ３］の変形例において用いられる「コンタクトレンズ６０」について、眼角への干渉を低減するのに好適な、装着時に右（左）眼角に臨む縁が左（右）方に窪む形状となっているものまでもが導かれるということはできない。
　そうしてみると、本件補正により、請求項１、２に係る発明に含まれることとなった「眼に装着可能な眼用器具」の上記構成は、当業者によって、当初明細書等のすべての記載を総合することにより導かれる技術的事項との関係において、新たな技術的事項を導入しないものであるということはできない。
（５）　加えて、本件補正後の請求項１、２に係る発明は、「眼に装着可能な眼用器具」として、［Ｄ１］ハードコンタクトレンズからなる「コンタクトレンズ」、あるいは、［Ｄ２］「ソフトコンタクトレンズ」であるとしても、一体成形により製造され、内レンズ及び外レンズが開閉可能に下端が接合され、内レンズと外レンズの接合部以外は開口している構成以外のもの、例えば、[Ｄ２−１]一体成形による接合以外の任意の結合構造（例えば、「ネジ」を用いた結合）により内レンズと外レンズとを結合した「コンタクトレンズ」、［Ｄ２−２］被挟持物の挿入時に内レンズと外レンズとが結合（接合）されずに開口し、被挟持物を挿入後に内レンズと外レンズとを結合（接合）する「コンタクトレンズ」、［Ｄ２−３］「内レンズ」及び「外レンズ」との間で被挟持物を挟持する以外の構成、例えば、全体が眼球の表面形状に沿った球面形状ではあるもののレンズ部を構成しない「非レンズ部」と「レンズ部」との間で挟持する構成の「コンタクトレンズ」、［Ｄ２−４］「非レンズ部」同士の間で挟持する構成の「コンタクトレンズ」、［Ｄ２−５］「内レンズ６２」及び「外レンズ６４」が「挿入可能に開口」するとしても、「開閉可能」とはいえないもの（例：本件出願後の令和元年８月８日に公開された、特開２０１９−１３３１２５号公報の図１９のように貫通孔から挿入するもの、図２１のようにポケットに挿入するもの）、［Ｄ２−６］「内レンズ６２」及び「外レンズ６４」が「挿入可能に開口」するとしても、「下端が接合されている」とはいえないもの（例：上記公報の図２０、図２１のように、中央部分で接合されているもの、左端（右端）側で接合されているもの、なお、この点は、【請求項３】に「前記第１挟持体の周端と前記第２挟持体の周端との間が前記被挟持物を挿入可能に開口している」と記載されていることからみても明かである。）、［Ｄ２−７］「接合」ではなく「結合」しているもの（例：上記公報の【０００８】に記載の概念のもの）を含む。
　そうしてみると、本件補正により、請求項１、２に係る発明に含まれることとなった「眼に装着可能な眼用器具」の上記の構成は、当業者によって、当初明細書等のすべての記載を総合することにより導かれる技術的事項との関係において、新たな技術的事項を導入しないものであるということはできない。
（６）　さらに加えて、上記（３）の［Ｃ５］等によれば、本件補正後の請求項１、２に係る発明は、「コンタクトレンズ」以外の「眼に装着可能な眼用器具」として、［Ｅ］電子デバイス、［Ｆ］光ファイバー、光導波路、光アイソレータ、半導体レーザ等の光学デバイス、［Ｇ］薬剤供給補助具、［Ｈ］薬剤、あるいは［Ｉ］矯正具であって、全体が眼球の表面形状に沿った球面形状及び装着時に右（左）眼角に左（右）方に窪む形状の第１挟持体と、全体が眼球の表面形状に沿った球面形状及び装着時に右（左）眼角に左（右）方に窪む形状の第２挟持体とを備え、第１挟持体と第２挟持体との間で被挟持体を挟む構成のものや、第１挟持体と第２挟持体との間が被挟持物を挿入可能に開口し第１挟持体と第２挟持体が結合されている構成のものを含む。
　しかしながら、上記（３）で挙げた全ての事項からは、「眼に装着可能な眼用器具」として、例えば、電子デバイスであって、全体が眼球の表面形状に沿った球面形状及び装着時に右（左）眼角に左（右）方に窪む形状の第１挟持体と、全体が眼球の表面形状に沿った球面形状及び装着時に右（左）眼角に左（右）方に窪む形状の第２挟持体を備え、第１挟持体と第２挟持体との間で被挟持体を挟む構成のもの、第１挟持体と第２挟持体との間が被挟持物を挿入可能に開口し第１挟持体と第２挟持体が結合されている構成のものまでもが導かれるということはできない。
　「眼用器具」を、眼に装着することが可能な、光ファイバー、光導波路、光アイソレータ、半導体レーザ等の光学デバイス、薬剤供給補助具、薬剤、あるいは矯正具としたものにおいても同様に、上記（３）で挙げた全ての事項からは、これらのものにおいて、全体が眼球の表面形状に沿った球面形状及び装着時に右（左）眼角に左（右）方に窪む形状の第１挟持体と、全体が眼球の表面形状に沿った球面形状及び装着時に右（左）眼角に左（右）方に窪む形状の第２挟持体とを備え、第１挟持体と第２挟持体との間で被挟持体を挟む構成のもの、第１挟持体と第２挟持体との間が被挟持物を挿入可能に開口し第１挟持体と第２挟持体が結合されている構成のものまでもが導かれるということはできない（変形例における、一体成形により製造され、ソフトコンタクトレンズからなる内レンズ及び外レンズが開閉可能に下端が接合され、内レンズと外レンズの接合部以外は開口している構成が、機能、構造、形状、材質、製造方法等において異なる電子デバイス、光学デバイス、薬剤供給補助具、薬剤、あるいは矯正具に採用されることは、当業者にとって自明のことではない。あるいは、上記［Ｃ３］の変形例の構造から、第１挟持体と、第２挟持体を備え、第１挟持体と第２挟持体との間で被挟持物を挟持可能であり、第１挟持体と第２挟持体との間が被挟持物を挿入可能に開口し第１挟持体及び第２挟持体が結合されている構造として上位概念化した構造を抽出することや、当該構造を眼用器具である電子デバイス、光学デバイス、薬剤供給補助具、薬剤あるいは矯正具などの構造とすることは、当初明細書等に記載・示唆されていない。また、当業者にとって自明の事項とも認められない。）。
　そうしてみると、本件補正により、請求項１、２に係る発明に含まれることとなった、電子デバイス、光学デバイス、薬剤供給補助具、薬剤、あるいは矯正具の上記構成は、当業者によって、当初明細書等のすべての記載を総合することにより導かれる技術的事項との関係において、新たな技術的事項を導入しないものであるということはできない。
（７）　令和２年２月２５日提出の審判請求書における請求人の主張について
ア　請求人は、審判請求書の「第４の２」において、
　「原審は、請求項１、２に対する補正が新規事項を追加するものであると認定している。確かに、原審が指摘するように、出願当初明細書〔０１３５〕〜〔０１４０〕には、内レンズ６２及び外レンズ６４の平面形状が、装着時に右眼角に臨む縁が左方に窪む形状又は装着時に左眼角に臨む縁が右方に窪む形状といった直接的な記載はない。」、「しかしながら、次の５つの点から出願当初明細書の記載に接した当業者であれば、請求項１、２の記載は自明な事項として把握することができる。」、「１．『１又は複数の媒体（例えば、部材）を介して薬剤供給補助具１０を間接的に眼球に装着することもできる。』の記載（出願当初明細書〔０１３５〕）から、内レンズ６２及び外レンズ６４が薬剤供給補助具１０を間接的に眼球に装着するための部材であること（すなわち、薬剤供給補助具１０と同等の用途及び近い機能を有し且つ薬剤供給補助具１０と一体に使用される部材であること）」、「２．『内レンズ６２の前面にフィットするように内レンズ６２の前面と同一又は近い曲率となる球面形状となっている。』」の記載（出願当初明細書〔０１３８〕）から、内レンズ６２及び外レンズ６４が薬剤供給補助具１０にフィットするものであること（すなわち、形状的な一体性を有すること）」、「３．本願は一貫して、「眼角への干渉を低減する」という課題（出願当初明細書〔０００４〕〔０００５〕）を解決するために、装着時に右眼角に臨む縁が左方に窪む形状又は装着時に左眼角に臨む縁が右方に窪む形状をその課題解決手段（出願当初明細書〔０００６〕〔００１２〕）として採用することを趣旨としていること」、「４．『上記第１及び第２の実施の形態並びにその変形例は相互に適用することができる。』及び『上記第１及び第２の実施の形態並びにその変形例においては、薬剤供給補助具１０に本発明を適用したが、これに限らず、本発明の主旨を逸脱しない範囲で他の場合にも適用可能である。』の記載（出願当初明細書〔０１６３〕〔０１６４〕）から、第１及び第２の実施の形態の技術的事項（装着時に右眼角に臨む縁が左方に窪む形状又は装着時に左眼角に臨む縁が右方に窪む形状）を、図１０の変形例における内レンズ６２及び外レンズ６４にも適用し得ることが示唆されていること（すなわち、薬剤供給補助具１０と同等の用途、近い機能及び形状的な一体性を有し且つ薬剤供給補助具１０と一体に使用される部材である『内レンズ６２及び外レンズ６４』に対し第１及び第２の実施の形態の技術的事項を適用し得ると理解することは容易であること）」、「５．第１及び第２の実施の形態の技術的事項（装着時に右眼角に臨む縁が左方に窪む形状又は装着時に左眼角に臨む縁が右方に窪む形状）を、図１０の変形例における内レンズ６２及び外レンズ６４に適用することを阻害する記載も示唆も技術的事情も存在しないこと」、「したがって、請求項１、２に対する補正は、願書に最初に添付した明細書、特許請求の範囲又は図面に記載した事項の範囲内においてしたものであるので、拒絶理由２は存在しないものと考える。」旨主張している。
イ　しかしながら、上記「１．」〜「３．」のとおりであって、かつ、当初明細書等に「上記第１及び第２の実施の形態並びにその変形例は相互に適用することができる。」及び「上記第１及び第２の実施の形態並びにその変形例においては、薬剤供給補助具１０に本発明を適用したが、これに限らず、本発明の主旨を逸脱しない範囲で他の場合にも適用可能である。」との記載があるとしても、上記（４）で述べたとおり、上記（３）の［Ｃ３］の変形例のソフトコンタクトレンズからなる「内レンズ６２」及び「外レンズ６４」が、装着時に右（左）眼角に臨む縁が左（右）方に窪む形状となっているとは認められない。さらに、通常の「ソフトコンタクトレンズ」の基本形状は眼角にまで及ぶほどのものではなく、装着時に眼角への干渉を考慮する必要がないものである。
　そうしてみると、上記（３）の全ての事項を考慮したとしても、上記（３）の［Ｃ３］のソフトコンタクレンズからなる「内レンズ６２」及び「外レンズ６４」について、装着時に右（左）眼角に臨む縁が左（右）方に窪む形状としたものまでもが導かれるということはできない。
　よって、請求人の主張を採用することはできない。
ウ　また、上記（５）で述べたとおり、上記（３）で挙げた全ての事項からは、上記［Ｄ１］の構成の「コンタクトレンズ」、あるいは［Ｄ２］の構成の「コンタクトレンズ」までもが導かれるということはできない。
　さらに、上記（６）で述べたとおり、上記（３）で挙げた全ての事項からは、「眼に装着可能な眼用器具」が、電子デバイス、光学デバイス、薬剤供給補助具、薬剤、あるいは矯正具であって、全体が眼球の表面形状に沿った球面形状及び装着時に右（左）眼角に左（右）方に窪む形状の第１挟持体と、全体が眼球の表面形状に沿った球面形状及び装着時に右（左）眼角に左（右）方に窪む形状の第２挟持体とを備え、第１挟持体と第２挟持体との間で被挟持体を挟む構成のものや、第１挟持体と第２挟持体との間が被挟持物を挿入可能に開口し第１挟持体と第２挟持体が結合されている構成のものまでもが導かれるということはできない。
３　 本件補正についてのむすび 
　前記２のとおり、本件補正は、特許法第１７条の２第３項の規定に違反するものであり、同法第１５９条第1項で読み替えて準用する同法第５３条第１項の規定により却下されるべきものである。
　よって、上記補正の却下の決定の結論のとおり決定する。
第３　本件発明について 
１　本件発明
　本件補正は却下されたので、本件出願の請求項１〜３３に係る発明（以下、それぞれ「本件発明１」〜「本件発明３３」という。）は、平成３１年２月２８日提出の手続補正書により補正された特許請求の範囲の請求項１〜３３に記載された事項により特定される、前記第２[理由]「１」「（１）」に記載のとおりのものである。
２　原査定の理由
　原査定の拒絶理由の「理由２．新規事項」は、「請求項８−１５」に関し、平成３１年２月２８日付け手続補正書でした手続補正は、願書に最初に添付した明細書、特許請求の範囲又は図面に記載した事項の範囲内においてしたものでないから、特許法第１７条の２第３項に規定する要件を満たしていないというものである。
３　当合議体の判断
　本件発明８（本件発明９）と本件補正後の請求項１（請求項２）に係る発明は、「眼に装着可能な眼用器具であって」、「眼球の表面形状に沿った球面形状及び装着時に右（左）眼角に臨む縁が左（右）方に窪む形状の第１挟持体と」、「眼球の表面形状に沿った球面形状及び装着時に右（左）眼角に臨む縁が左（右）方に窪む形状の第２挟持体とを備え、前記第１挟持体と前記第２挟持体との間で被挟持物を挟持可能であり」、「前記第１挟持体と前記第２挟持体との間が前記被挟持物を挿入可能に開口し前記第１挟持体及び前記第２挟持体が結合されている」という構成を具備する点においては、何ら変わるところがない。
　そうしてみると、前記「第２」［理由］２で述べたのと同じ理由により、平成３１年２月２８日提出の手続補正書による補正も、当業者によって、当初明細書等のすべての記載を総合することにより導かれる技術的事項との関係において新たな技術的事項を導入しないものであるということはできない。
　したがって、平成３１年２月２８日付け手続補正書による手続補正は、願書に最初に添付した特許請求の範囲、明細書又は図面に記載した事項の範囲内においてしたものでないから、特許法第１７条の２第３項に規定する要件を満たしていない。
第４　まとめ
　以上のとおり、平成３１年２月２８日付けでした手続補正は、特許法第１７条の２第３項に規定する要件を満たしていない。
　したがって、本件出願は拒絶すべきものである。
　よって、結論のとおり審決する。